【事件の表示】
　特願２００６−３２００３７「ゴルフボール」拒絶査定不服審判事件〔平成２０年　６月１２日出願公開、特開２００８−１３２１２４〕について、次のとおり審決する。
【結　論】
　本件審判の請求は、成り立たない。
【理　由】
１　手続の経緯・本願発明
（１）手続の経緯
　本願は、平成１８年１１月２８日の出願であって、平成２１年１月９日付けで手続補正がなされ、同年４月２８日付けで拒絶査定がなされ、これに対して、同年８月１１日に拒絶査定不服審判が請求されたものである。
　
（２）本願発明
　本願の請求項１に係る発明は、平成２１年１月９日付け手続補正によって補正された明細書、特許請求の範囲及び図面の記載からみて、その特許請求の範囲の請求項１に記載された事項によって特定される次のとおりのものである。
　
「その表面に多数のディンプルを備えており、
　ディンプルと交差しない大円を備えておらず、
　その仮想球面に内接する正二十面体の３０本の辺がこの仮想球面に投影されることにより形成された３０本の区画線により、この仮想球面が、赤道を含む複数の球面正三角形と赤道を含まない複数の球面正三角形とからなる球面正二十面体に区画されたとき、赤道を含まない球面正三角形のディンプルパターンが赤道を含む球面正三角形のディンプルパターンと異なっており、
　赤道を含む球面正三角形の数が１２であって、赤道を含まない球面正三角形の数が８であり、
　赤道を含む球面正三角形におけるディンプル種類数が、赤道を含まない球面正三角形におけるディンプル種類数よりも大きく、
　赤道を含みかつ互いのディンプルパターンが異なる複数の球面正三角形を備えているゴルフボール。」（以下「本願発明」という。）
　
２　刊行物の記載事項
　原査定の拒絶の理由に引用された「本願の出願前に頒布された刊行物である特開２００２−１２６１２７号公報（以下「引用例」という。）」には、図とともに次の事項が記載されている。（下線は審決で付した。）
（１）「【０００２】
【従来の技術】ゴルフボールは、その表面に３００個から５５０個程度のディンプルを備えている。ディンプルの役割は、ゴルフボール飛行時にゴルフボール周りの空気の流れを乱すことによって境界層の乱流遷移を促進し、乱流剥離を起こさせることにある（以下「ディンプル効果」とも称される）。乱流遷移の促進により空気のゴルフボールからの剥離点が後方に下がり、圧力抵抗が小さくなってゴルフボールの飛距離が増大する。また、乱流遷移の促進により、バックスピンに起因するゴルフボールの上側と下側とにおける剥離点の差が助長され、ゴルフボールに作用する揚力が高められる。従って、乱流遷移を促進しやすいディンプル、すなわち空気の流れをよりよく乱すことができるディンプルほど、空力特性に優れたものであるといえる。
【０００３】空力特性向上の目的で、ディンプル形状に関する種々の提案がなされている。例えば、米国特許第５８９０９７５号には、伸ばされたディンプル（ｅｌｏｎｇａｔｅｄ  ｄｉｍｐｌｅ）を備えたゴルフボールが開示されている。また、特開２０００−１８５１１３公報には、平面形状（ディンプルが法線方向から見られたときの輪郭形状）が楕円であるディンプルを備えたゴルフボール、平面形状が長円であるディンプルを備えたゴルフボール及び平面形状が涙形であるディンプルを備えたゴルフボールが開示されている。
【０００４】
【発明が解決しようとする課題】ゴルファーにとっての大きな関心事として、好スコアでプレーすることと共に、ゴルフボールを遠くまで飛ばすことが挙げられる。多くのゴルファーは、少しでも飛行性能に優れたゴルフボールを望んでいる。しかしながら、ゴルファーの要求を満たすゴルフボールは、未だ得られていない。
【０００５】本発明はこのような実状に鑑みてなされたものであり、
飛行性能に優れたゴルフボール
【０００６】
【課題を解決するための手段】上記の目的を達成するためになされた発明は、
平面形状が円以外の形状である非円形ディンプルと平面形状が円である円形ディンプルとを表面に多数個備えており、全ディンプル数に占める非円形ディンプルの個数の比率が７７％以上９２％以下であり、全ディンプル数に占める円形ディンプルの個数の比率が８％以上２３％以下であり、非円形ディンプルには特殊形状ディンプルが複数種類含まれており、全非円形ディンプルに占める特殊形状ディンプルの総数の比率が８０％以上であり、特殊形状ディンプルの全種類から、全ディンプル数に占める比率が５％未満である種類を除いた中で、最小の輪郭線長さを有する種類のディンプル数がＮｓとされ最大の輪郭線長さを有する種類のディンプル数がＮｂとされたとき、この比（Ｎｓ／Ｎｂ）が２０／８０以上８０／２０以下であり、
ゴルフボール
【０００７】ここで特殊形状ディンプルとは、下記（Ａ）及び（Ｂ）の条件をいずれも満たすディンプルを意味する。
（Ａ）平面形状における輪郭線が半円と円弧との組み合わせから形成されていること、又は半円と楕円弧との組み合わせから形成されていること。
（Ｂ）内側に凸である部分を輪郭線が持たないこと。
【０００８】このゴルフボールでは、
特殊形状ディンプルと円形ディンプルとの相乗効果により、空力特性が高められて
（２）「【００１０】好ましくは、ゴルフボールはその表面に、実質的に同一の中心角度ピッチで並ぶ５個の特殊形状ディンプルによって取り囲まれた特殊ランド部を１２個以上備える。この特殊ランド部によって、空気の乱れがさらに促進される。
【００１１】好ましくは、これらの
特殊ランド部は偏りなく表面に配置される。これにより、バックスピンの周速が最も速い部分（以下、「最速部分」と称される）がいかなる位置にあっても、ほぼ同等のディンプル効果が得られる。
　
（３）「【００１４】図１は、本発明の一実施形態にかかるゴルフボールが示された平面図である。また、図２はその正面図である。図２では
、共に半球状キャビティを備えた上型及び下型からなる成形型のパーティングラインに相当する部分が正面に位置し、且つ左右方向に延びている
このゴルフボールは、ＡからＤの４種類のディンプルを備えている。
【００１５】図３（ａ）は涙形ディンプルが示された平面図であり、図３（ｂ）はその断面図である。涙形ディンプルは、平面形状の輪郭が半円部分Ｒｃと半楕円部分Ｒｅとから構成されている。半円部分Ｒｃは、直径がＤ１である円の半分に相当する。半楕円部分Ｒｅは、長径がＤ２であり短径がＤ１である楕円の半分に相当する。涙形ディンプルの輪郭線は、内側に凸である部分を有していない。
【００１６】この涙形ディンプルは方向性を備えており、円形ディンプルに比べて空気の流れを乱す効果が大きい。従って、ゴルフボールの飛距離向上に寄与する。一方、方向性を備えたディンプルは飛行対称性を損なうおそれがあるが、涙形ディンプルでは半円部分Ｒｃが存在しており、また半円部分Ｒｃ以外の部分も滑らかな曲線なので、飛行対称性への悪影響が抑制される。
【００１７】図１及び図２に示されたゴルフボールは、
２４０個のＡディンプルと、１０２個のＢディンプルと、６０個のＣディンプルと、２４個のＤディンプルとを有している。ディンプル総数は、４２６個である。
　
（４）「【００３０】
図１において符号Ｐで示されているのは、ポールである。このポールＰは、共に半球キャビティを備えた上型及び下型からなる成形型でゴルフボールが成形される場合に、上型と下型とのパーティングラインが地球儀の赤道とされたときの北極点又は南極点に相当する。
ポールＰを中心としてゴルフボールが１２０°（ｄｅｇｒｅｅ）刻みで回転させられると、回転前のディンプルパターンと回転後のディンプルパターンとが完全に一致する。
このゴルフボールのディンプルパターンは、１２０°回転対称である。
【００３１】ディンプルパターンが同一であるユニットの繰り返し数は３回が理想的であるが、４回であってもよい。繰り返し数が４回のディンプルパターンは、９０°回転対称のディンプルパターンである。繰り返し数が２回であったり、繰り返しが全くない場合は、１個のユニットが占める面積が大きく、従って飛行対称性が不十分となることがある。逆に、繰り返し数が５回を超えると、ディンプルパターンが同一であるユニットがバックスピンによって頻繁に繰り返されるので、円形ディンプルと特殊形状ディンプルとが混在することによるディンプル効果が得られにくい。なお、繰り返し数が５回であるディンプルパターンは、７２°回転対称なディンプルパターンである。
【００３２】図１及び図２に示されたゴルフボールは、１２個の特殊ランド部Ｌｓを有している。特殊ランド部Ｌｓとは、ほぼ同一の中心角度ピッチ（約７２°）で並ぶ５個の特殊形状ディンプル（このゴルフボールの場合はＢディンプル）によって取り囲まれたランド部のことである。この特殊ランド部Ｌｓにより、ディンプル効果が助長される。特に、取り囲む５個の特殊形状ディンプルと交差することなく、直径が１．２ｍｍである円が画かれうるサイズを備えた特殊ランド部Ｌｓが好ましい。
【００３３
】図１及び図２において二点鎖線で示されているのは、ボール仮想球に内接する正二十面体の辺がボール仮想球の球面に投影された稜線である。
１２個の特殊ランド部Ｌｓは、ゴルフボールの表面に、偏りなく（均一に）配置されている。これにより、ゴルフボールの飛行対称性が良好となる
　
（５）共に半球キャビティを備えた上型及び下型からなる成形型でゴルフボールが成形される場合に、上型と下型とのパーティングラインが地球儀の赤道とされたときの北極点又は南極点に相当するポールＰを中心として、ゴルフボールが１２０°刻みで回転させられると、回転前のディンプルパターンと回転後のディンプルパターンとが完全に一致するディンプルパターンの多数個のディンプルを表面に備えたゴルフボールを、ボール仮想球に内接する正二十面体の辺がボール仮想球の球面に投影された稜線である二点鎖線とともに示しているところの、図１の平面図及び図２の正面図の記載から、次のアないしウのことが見て取れる。
　ア　前記稜線により区画されているボール表面の全２０区画のうち、前記赤道と交差する区画は１２あり、残りの８区画は前記赤道と交差しないこと。
　イ　各ディンプルのうち、前記稜線によってに分割され１つの区画に部分的に含まれているディンプルが複数あり、そのような部分ディンプルを組み合わせると１つのディンプルになる場合は１つと数えることにして、各区画のディンプルの数を数えるとともに各区画のディンプルパターンを比較すると、各区画のディンプルパターンは次の（ア）ないし（ウ）のようになっていること。
（ア）赤道と交差する１２区画のディンプルパターン
　赤道と交差する１２区画のそれぞれには、Ａディンプルが１１個、Ｂディンプルが６個、Ｃディンプルが４個、Ｄディンプルが１／２個と１／３個とで５／６個ずつ含まれており、これらのディンプルで各区画のディンプルパターンは形成されており、前記赤道に直交して南北に延びる稜線（以下「南北稜線」という。）を境として隣接する区画同士のディンプルパターンは、互いに鏡面対称の関係であって、異なるパターンとなっており、かつ、南北稜線以外の稜線を境として隣接する区画同士のディンプルパターンは、互いに回転対称の関係であって、同一のパターンとなっており、前記鏡面対称の２つのディンプルパターンを第１及び第２ディンプルパターンとすると、前記赤道と交差する１２区画は６区画ずつ第１及び第２ディンプルパターンから構成されている。
（イ）北極点又は南極点に相当するポールＰを中心とした２区画のディンプルパターン
　ポールＰを中心とした２区画のそれぞれには、Ａディンプルが９個、Ｂディンプルが６個、Ｃディンプルが６個、Ｄディンプルが１個ずつ含まれており、これらのディンプルで各区画のディンプルパターンが形成されており、このディンプルパターンを第３ディンプルパターンとすると、ポールＰを中心とした２区画は第３ディンプルパターンから構成されている。
（ウ）ポールＰを有さず赤道と交差しない６区画のディンプルパターン
　ポールＰを有さず赤道と交差しない６区画のそれぞれには、Ａディンプルが１５個、Ｂディンプルが３個、Ｄディンプルが２個ずつ含まれており、これらのディンプルで各区画のディンプルパターンが形成されており、このディンプルパターンを第４ディンプルパターンとすると、ポールＰを有さず赤道と交差しない６区画は第４ディンプルパターンから構成されている。
　ウ　赤道と交差する１２区画の第１及び第２ディンプルパターンにおける各ディンプルはパーティングラインと交差していないこと。
　
（６）上記（１）ないし（５）から、引用例には、
「平面形状が円以外の形状である非円形ディンプルと平面形状が円である円形ディンプルとを表面に多数個備えており、
　全ディンプル数に占める非円形ディンプルの個数の比率が７７％以上９２％以下であり、
　全ディンプル数に占める円形ディンプルの個数の比率が８％以上２３％以下であり、
　非円形ディンプルには、平面形状における輪郭線が半円と楕円弧との組み合わせから形成され、かつ、内側に凸である部分を輪郭線が持たないとの条件を満たす特殊形状ディンプルが複数種類含まれており、
　全非円形ディンプルに占める特殊形状ディンプルの総数の比率が８０％以上であり、
　特殊形状ディンプルの全種類から、全ディンプル数に占める比率が５％未満である種類を除いた中で、最小の輪郭線長さを有する種類のディンプル数がＮｓとされ最大の輪郭線長さを有する種類のディンプル数がＮｂとされたとき、この比（Ｎｓ／Ｎｂ）が２０／８０以上８０／２０以下であり、
　共に半球キャビティを備えた上型及び下型からなる成形型でゴルフボールが成形される場合に、上型と下型とのパーティングラインが地球儀の赤道とされたときの北極点又は南極点に相当するポールＰを中心として、ゴルフボールが１２０°刻みで回転させられると、回転前のディンプルパターンと回転後のディンプルパターンとが完全に一致するディンプルパターンの多数個のディンプルを表面に備えたゴルフボールにおいて、
　前記特殊形状ディンプルとして２４０個のＡディンプル及び１０２個のＢディンプルを、前記円形ディンプルとして６０個のＣディンプル及び２４個のＤディンプルをそれぞれ備えて、総数にして４２６個のディンプルを備え、
　ボール仮想球に内接する正二十面体の辺がボール仮想球の球面に投影された稜線により区画されているボール表面の全２０区画のうち、前記赤道と交差する区画は１２あり、残りの８区画は前記赤道と交差しておらず、
　前記赤道と交差する１２区画のそれぞれには、Ａディンプルが１１個、Ｂディンプルが６個、Ｃディンプルが４個、Ｄディンプルが１／２個と１／３個とで５／６個ずつ含まれており、これらのディンプルで各区画のディンプルパターンが形成されており、南北稜線を境として隣接する区画同士のディンプルパターンは、互いに鏡面対称の関係であって、異なるパターンとなっており、かつ、南北稜線以外の稜線を境として隣接する区画同士のディンプルパターンは、互いに回転対称の関係であって、同一のパターンとなっており、前記鏡面対称の２つのディンプルパターンを第１及び第２ディンプルパターンとすると、前記赤道と交差する１２区画は６区画ずつ第１及び第２ディンプルパターンから構成され、
　前記ポールＰを中心とした２区画のそれぞれには、Ａディンプルが９個、Ｂディンプルが６個、Ｃディンプルが６個、Ｄディンプルが１個ずつ含まれており、これらのディンプルで各区画のディンプルパターンが形成されており、このディンプルパターンを第３ディンプルパターンとすると、ポールＰを中心とした２区画は第３ディンプルパターンから構成され、
　前記ポールＰを有さず前記赤道と交差しない６区画のそれぞれには、Ａディンプルが１５個、Ｂディンプルが３個、Ｄディンプルが２個ずつ含まれており、これらのディンプルで各区画のディンプルパターンが形成されており、このディンプルパターンを第４ディンプルパターンとすると、ポールＰを有さず赤道と交差しない６区画は第４ディンプルパターンから構成され、
　前記赤道と交差する１２区画の第１及び第２ディンプルパターンにおける各ディンプルはパーティングラインと交差しておらず、
　特殊形状ディンプルと円形ディンプルとの相乗効果により空力特性が高められ、１２個の特殊ランド部Ｌｓがゴルフボールの表面に偏りなく配置されることによりバックスピンの周速が最も速い部分がいかなる位置にあってもほぼ同等のディンプル効果が得られゴルフボールの飛行対称性が良好となる、飛行性能に優れたゴルフボール。」の発明（以下「引用発明」という。）が記載されているものと認められる。
　
３　対比
　本願発明と引用発明とを対比する。
（１）引用発明の「ディンプル」、「ボール仮想球の球面」、「正二十面体」、「稜線」、「赤道」、「ディンプルパターン」及び「ゴルフボール」は、それぞれ、本願発明の「ディンプル」、「仮想球面」、「正二十面体」、「区画線」、「赤道」、「ディンプルパターン」及び「ゴルフボール」に相当し、引用発明の「ボール仮想球に内接する正二十面体の辺がボール仮想球の球面に投影された稜線により区画されているボール表面の全２０区画」のそれぞれは、正二十面体の各面が正三角形であることから、本願発明の「球面正三角形」に相当する。
　そうすると、引用発明の「『ポールＰを中心とした２区画のそれぞれ』及び『ポールＰを有さず前記赤道と交差しない６区画のそれぞれ』」及び「赤道と交差する１２区画のそれぞれ」は、それぞれ、本願発明の「赤道を含まない球面正三角形」及び「赤道を含む球面正三角形」に相当する。
　
（２）引用発明の「ディンプル」は、ゴルフボールの「表面に多数個備え」られているものであるから、本願発明の「ディンプル」と、「その表面に多数」備えられている点で一致する。
　
（３）正二十面体の辺の数は３０本であるから、上記（１）に照らせば、引用発明の「ボール仮想球に内接する正二十面体の辺がボール仮想球の球面に投影された稜線により区画されているボール表面の全２０区画のうち、前記赤道と交差する区画は１２あり、残りの８区画は前記赤道と交差しておらず、前記赤道と交差する１２区画のそれぞれには、Ａディンプルが１１個、Ｂディンプルが６個、Ｃディンプルが４個、Ｄディンプルが１／２個と１／３個とで５／６個ずつ含まれており、これらのディンプルで各区画のディンプルパターンが形成されており、南北稜線を境として隣接する区画同士のディンプルパターンは、互いに鏡面対称の関係であって、異なるパターンとなっており、かつ、南北稜線以外の稜線を境として隣接する区画同士のディンプルパターンは、互いに回転対称の関係であって、同一のパターンとなっており、前記鏡面対称の２つのディンプルパターンを第１及び第２ディンプルパターンとすると、前記赤道と交差する１２区画は６区画ずつ第１及び第２ディンプルパターンから構成され、前記ポールＰを中心とした２区画のそれぞれには、Ａディンプルが９個、Ｂディンプルが６個、Ｃディンプルが６個、Ｄディンプルが１個ずつ含まれており、これらのディンプルで各区画のディンプルパターンが形成されており、このディンプルパターンを第３ディンプルパターンとすると、ポールＰを中心とした２区画は第３ディンプルパターンから構成され、前記ポールＰを有さず前記赤道と交差しない６区画のそれぞれには、Ａディンプルが１５個、Ｂディンプルが３個、Ｄディンプルが２個ずつ含まれており、これらのディンプルで各区画のディンプルパターンが形成されており、このディンプルパターンを第４ディンプルパターンとすると、ポールＰを有さず赤道と交差しない６区画は第４ディンプルパターンから構成され」る点は、本願発明の「その仮想球面に内接する正二十面体の３０本の辺がこの仮想球面に投影されることにより形成された３０本の区画線により、この仮想球面が、赤道を含む複数の球面正三角形と赤道を含まない複数の球面正三角形とからなる球面正二十面体に区画されたとき、赤道を含まない球面正三角形のディンプルパターンが赤道を含む球面正三角形のディンプルパターンと異なっており、赤道を含む球面正三角形の数が１２であって、赤道を含まない球面正三角形の数が８であり、赤道を含みかつ互いのディンプルパターンが異なる複数の球面正三角形を備えている」点に相当する。
　
（４）上記（１）ないし（３）からみて、本願発明と引用発明とは、
「その表面に多数のディンプルを備えており、
　その仮想球面に内接する正二十面体の３０本の辺がこの仮想球面に投影されることにより形成された３０本の区画線により、この仮想球面が、赤道を含む複数の球面正三角形と赤道を含まない複数の球面正三角形とからなる球面正二十面体に区画されたとき、赤道を含まない球面正三角形のディンプルパターンが赤道を含む球面正三角形のディンプルパターンと異なっており、
　赤道を含む球面正三角形の数が１２であって、赤道を含まない球面正三角形の数が８であり、
　赤道を含みかつ互いのディンプルパターンが異なる複数の球面正三角形を備えているゴルフボール。」である点で一致し、次の点で相違する。
　
相違点１：
　本願発明では、「ディンプルと交差しない大円を備えていない」のに対して、引用発明では、「大円」といえるパーティングラインが「ディンプルと交差」していない点。
　
相違点２：
　本願発明では、「赤道を含む球面正三角形におけるディンプル種類数が、赤道を含まない球面正三角形におけるディンプル種類数よりも大き」いのに対して、引用発明では、「赤道を含む球面正三角形におけるディンプル種類数」は４種類であり、「赤道を含まない球面正三角形におけるディンプル種類数」は４種類又は３種類である点。
　
４　判断
　上記相違点１及び２について検討する。
（１）分割された成形金型を用いてゴルフボールの周面にディンプルを形成する場合には、成形金型の分割部分と対応する位置で、ゴルフボールに、ディンプルの存在しないパーティングラインが発生し、このパーティングラインがゴルフボールの空力特性を損ねるとともに、ゴルフボールの全周面にわたっての空力特性の均一化を妨げるという問題があったので、ゴルフボールの空力特性を向上させ、かつ、ゴルフボールの全周面にわたって空力特性を十分均一ならしめるために、
　ア　成形金型を用いることなくディンプルを形成する
　イ　２分割金型に分割面を横切る方向にディンプル型付用突起を該突起の１／２を超えない範囲で突出した隆起を一体に形成すると共に、他方の分割金型の分割面に上記隆起を一体が嵌合する窪みを備える
　ウ　パーティングラインを凹凸のジグザグの軌跡にする
　エ　赤道のディンプル形成が可能な金型を使用し、赤道のディンプルを、円形及び非円形のディンプルのうちの円形のディンプルのみにする
　オ　２分割上下金型の一半球側から他半球側にはみ出したディンプルに相応したディンプル成形用突起については、赤道からはみだす部分の形状が円弧状となる非円形ディンプルを赤道に沿って配置する
　などの手法によって、ディンプルと交差しない大円が１本も存在しないようにしたゴルフボールは、本願の出願前に周知である（以下「周知技術１」という。例．特開昭６４−８９８３号公報（第１頁左下欄第３行〜第２頁右上欄第９行参照。上記アの手法が記載されている。）、特開平１１−１３７７２７号公報（【請求項１】〜【請求項３】、【０００１】〜【０００９】及び【００１７】〜【００１９】参照。上記イ及びウの手法が記載されている。）、特開２０００−３２５４９９号公報（【請求項１】、【０００１】〜【０００７】、【００２７】〜【００３１】、図３及び図４参照。上記イの手法が記載されている。）、特開２００１−３２１４６０号公報（【請求項１】、【請求項２】、【０００１】〜【０００７】、【００３１】〜【００３８】、図１及び図２参照。上記ウ及びエの手法が記載されている。）、特開２００３−２６０１５１号公報（【請求項１】〜【請求項３】、【０００１】〜【０００５】、【００１９】、図２及び図４参照。上記オの手法が記載されている。））。
　
（２）赤道付近の区画のディンプルの種類の数と赤道から離れた区画のディンプルの種類の数とを比較した場合に、赤道付近の区画のディンプルの種類の数の方が大きいようになっているゴルフボールは、本願出願前に周知である（以下「周知技術２」という。例．米国特許公開第２００２／００１６２２９号明細書（[0047]〜[0051]、[0053]及びFIG.4〜FIG.7参照。polar triangles 22に１種類のディンプル（dimples 59）が存在し、equatorial triangles 23に２種類のディンプル（dimples 59及びdimples 60）が存在している。「equator」、「equatorial triangles 23」、「polar triangles 22」及び「dimples」が、それぞれ「赤道」、「赤道付近の区画」、「赤道から離れた区画」及び「ディンプル」に相当する。）、特開２００４−２０９２５８号公報（【００４１】〜【００４９】及び図３〜図６参照。赤道１６（２６）を含む修正された三角形１４（２４）及び図３及び図５に記載された円の中心を頂点に含む三角形１２（２２）に、それぞれ７種類及び５種類（図３及び図４に対応する実施例１）又はそれぞれ６種類及び５種類（図５及び図６に対応する実施例２）のディンプルが存在している。「赤道１６（２６）」、「赤道１６（２６）を含む修正された三角形１４（２４）」及び「図３及び図５に記載された円の中心を頂点に含む三角形１２（２２）」が、それぞれ「赤道」、「赤道付近の区画」及び「赤道から離れた区画」に相当する。）、特開平４−６４３７３号公報（第３頁右上欄第１３行〜右下欄第１５行、第５頁表１（ディンプル諸元）第３実施例の項、第１図及び第４図（Ａ）〜（Ｃ）参照。Ｓ領域及びＰ領域に、それぞれ４種類及び３種類のディンプルが存在している。「シームＬ（大円３）」、「Ｓ領域」及び「Ｐ領域」がそれぞれ「赤道」、「赤道付近の区画」及び「赤道から離れた区画」に相当する。））
　
（３）引用発明のゴルフボールは、共に半球キャビティを備えた上型及び下型からなる成形型でゴルフボールが成形される場合に、上型と下型とのパーティングラインが地球儀の赤道とされ、赤道と交差する１２区画の第１及び第２ディンプルパターンにおける各ディンプルは、特殊形状ディンプルとしての１１個のＡディンプル及び６個のＢディンプルと、円形ディンプルとしての４個のＣディンプル及び５／６個のＤディンプルとからなっており、かつ、各ディンプルはパーティングラインと交差していないものであり、該ゴルフボールは、特殊形状ディンプルと円形ディンプルとの相乗効果により空力特性が高められ、１２個の特殊ランド部Ｌｓがゴルフボールの表面に偏りなく配置されることによりバックスピンの周速が最も速い部分がいかなる位置にあってもほぼ同等のディンプル効果が得られゴルフボールの飛行対称性が良好となり、飛行性能に優れたものであるところ、引用発明のように、赤道と交差する区画のディンプルパターンにおける各ディンプルがパーティングラインと交差していないゴルフボールには、ディンプルの存在しないパーティングラインがゴルフボールの空力特性を損ねるとともに、ゴルフボールの全周面にわたっての空力特性の均一化を妨げるという問題を有していることが当業者に自明である（上記（１）参照。）から、引用発明において、ゴルフボールの空力特性を向上させ、かつ、ゴルフボールの全周面にわたって空力特性を十分均一ならしめるために、全ディンプル数に占める円形ディンプルの個数の比率が８％以上２３％以下の範囲内で、かつ、比（Ｎｓ／Ｎｂ）が２０／８０以上８０／２０以下の範囲内で、赤道と交差する区画の第１及び第２ディンプルパターンについて、円形ディンプルをパーティングラインと交差するように設け、必要な場合にはＡディンプルやＢディンプルを減らしたり、外周の一部に円弧状部分を有する非円形ディンプルを、外皮円形ディンプルが特殊形状ディンプルの場合は全ディンプル数に占める比率が５％未満の範囲で、その円弧状部分が半球キャビティを備えた成形型の一半球側から他半球側にはみ出すようにパーティングライン上に設けたりして、赤道と交差する区画の第１及び第２ディンプルパターンを、パーティングラインと交差するディンプルを有するパターンとなして、ディンプルと交差しない大円が１本も存在しないようにすることは、当業者が周知技術１に基づいて容易に想到することができた程度のことであり、その際に、パーティングライン上に設ける円形ディンプルをＣディンプル又はＤディンプルにしなければならない事情も、パーティングライン上に設ける非円形ディンプルをＡディンプル又はＢディンプルにしなければならない事情もないから、パーティングライン上に設ける円形ディンプルをＣディンプルともＤディンプルとも異なるものとしたり、パーティングライン上に設ける非円形ディンプルをＡディンプルともＢディンプルとも異なるものとしたりして、ＡないしＤディンプル以外のディンプルをパーティングラインと交差するようにすることは、当業者が適宜なし得た設計上の事項である。
　
（４）上記（３）において、「赤道と交差する区画の第１及び第２ディンプルパターンを、パーティングラインと交差するディンプルを有するパターンとなして、ディンプルと交差しない大円が１本も存在しないようにする」は、本願発明の「ディンプルと交差しない大円を備えておらず」に相当し、上記（３）において、「パーティングライン上に設ける円形ディンプルをＣディンプルともＤディンプルとも異なるものとしたり、パーティングライン上に設ける非円形ディンプルをＡディンプルともＢディンプルとも異なるものとしたり」することは、本願発明でいう「赤道を含む球面正三角形におけるディンプル種類数」を増やすことであるから、引用発明で４種類であった「赤道を含む球面正三角形におけるディンプル種類数」を、５種類以上にすることになるが、「赤道付近の区画のディンプルの種類の数と赤道から離れた区画のディンプルの種類の数とを比較した場合に、赤道付近の区画のディンプルの種類の数の方が大きいようになっているゴルフボール」は本願出願前に周知（上記（２）参照。）であることからして、「赤道を含む球面正三角形におけるディンプル種類数」を５種類以上として、「赤道を含まない球面正三角形におけるディンプル種類数」より大きくすることに困難な点はない。
　そうすると、引用発明において、上記相違点１に係る本願発明の構成となすことは、上記（３）からみて、当業者が周知技術１に基づいて容易に想到し得たことであり、その際に、上記相違点２に係る本願発明の構成となすことは、上記（３）からみて、当業者が周知技術１及び周知技術２に基づいて適宜なし得た程度のことである。
　
（５）本願発明の奏する効果は、引用発明の奏する効果、周知技術１の奏する効果及び周知技術２の奏する効果から当業者が予測できた程度のものである。
　
（６）まとめ
　したがって、本願発明は、当業者が引用例に記載された発明、周知技術１及び周知技術２に基づいて容易に発明をすることができたものである。
　
５　むすび 
　本願発明は、当業者が引用例に記載された発明、周知技術１及び周知技術２に基づいて容易に発明をすることができたものであるから、特許法第２９条第２項の規定により特許を受けることができない。
　よって、結論のとおり審決する。